(57)【要約】【課題】使い勝手が良く、誤操作を防止可能な携帯電子機器及びその制御方法を提供する。【解決手段】操作動作検出部３が、第１操作部２２の長押しを検出した場合は、制御部５は所定の機能を起動し、所定の機能起動中には第２操作部によって所定の機能を制御することができる。また、所定の機能以外の機能起動中には、操作動作検出部３が第１操作部２２の長押しを検出しても、所定の機能は起動されない。【選択図】図３
2008054138.tif 000002
【特許請求の範囲】
【請求項１】
筐体と、
前記筐体に配置される操作手段と、
前記操作手段での操作動作を検出する操作動作検出手段と、
前記操作動作検出手段によって検出された操作動作に応じて所定の機能の動作を制御する制御部と、
を有する携帯電子機器において、
前記操作手段は、前記筐体の主面部に配置される第１操作部と、前記筐体の側面部に配置される第２操作部と、を有し、
制御部は、前記操作動作検出手段によって検出される前記第１操作部の所定時間以上の操作動作と前記第２操作部の操作動作とに応じて前記所定の機能の動作を制御する
ことを特徴とする携帯電子機器。
【請求項２】
前記制御部は、前記第１操作部の前記所定時間以上の操作動作に応じて前記所定の機能のオンオフ動作を制御し、前記第２操作部の操作動作に応じて前記所定の機能の選択動作を制御する
ことを特徴とする請求項１記載の携帯電子機器。
【請求項３】
前記操作動作検出手段は、前記第２操作部の短押し操作動作と長押し操作動作とを検出可能に構成され、
前記制御部は、前記操作動作検出手段によって前記第２操作部の前記短押し操作動作が検出された場合に前記所定の機能の第１選択パラメータを制御し、前記第２操作部の前記長押し操作動作が検出された場合に前記所定の機能の第２選択パラメータを制御する
ことを特徴とする請求項２記載の携帯電子機器。
【請求項４】
前記制御部は、前記第１操作部の前記所定時間以上の操作動作に応じて前記所定の機能を起動させ、前記所定の機能が起動された後に前記第２操作部の操作動作に応じて前記所定の選択動作を制御する
ことを特徴とする請求項２または３に記載の携帯電子機器。
【請求項５】
前記制御部は、前記所定の機能とは異なる第２の機能の動作を制御し、前記第２の機能を制御しているときに前記操作動作検出手段によって前記第１操作部の前記所定時間以上の操作動作が検出されると前記所定の機能の動作制御を抑制する
ことを特徴とする請求項１から４のいずれか一項に記載の携帯電子機器。
【請求項６】
前記筐体の前記主面部に配置されて、各種情報を表示可能な表示部を備え、
前記制御部は、前記操作動作検出手段によって前記第１操作部の前記所定時間未満の操作動作が検出された場合に、前記表示部による各種情報の表示を行う
ことを特徴とする請求項１から５のいずれか一項に記載の携帯電子機器。
【請求項７】
筐体に配置される操作手段での操作動作を検出し、検出された操作動作に応じて所定の機能の動作を制御する携帯電子機器の制御方法において、
前記筐体の主面部に配置される第１操作部の所定時間以上の操作動作と前記筐体の側面部に配置される第２操作部の操作動作との検出に応じて前記所定の機能の動作を制御する
ことを特徴とする携帯電子機器の制御方法。
【請求項８】
前記第１操作部の前記所定時間以上の操作動作に応じて前記所定の機能のオンオフ動作を制御し、前記第２操作部の操作動作に応じて前記所定の機能の選択動作を制御する
ことを特徴とする請求項７記載の携帯電子機器の制御方法。
【発明の詳細な説明】
【技術分野】
【０００１】
本発明は、外部に露出した位置に操作手段を有する携帯電子機器及びその制御方法に関する。
【背景技術】
【０００２】
携帯電話等の携帯電子機器は、多機能化が進み、操作用のキー類が増大している。
例えば、特許文献１には、筐体の正面（背面部）に操作キーを配置して、各種動作を可能にした無線通信端末が開示されている。
また、例えば、特許文献２には、筐体の側面部に操作キーを配置して、各種動作を可能にした移動電話機が開示されている。
【０００３】
特許文献１や２に開示された携帯端末のように、外部に露出した位置に操作キーを有する携帯端末では、鞄やポケット等に入れられた時等に、外部に露出した操作キーが誤って押されてしまい、当該操作キーに対応した機能が起動してしまう等の誤操作が起こりうる。
こうした携帯端末の誤操作を防止するために、例えば特許文献３には、キーの押下を無効とする誤操作防止機能を有する携帯電話装置が開示されている。
【特許文献１】特開２００６−６７５２３号公報
【特許文献２】特開２００２−３０５５７０号公報
【特許文献３】特開平０９−６４８０３号公報
【発明の開示】
【発明が解決しようとする課題】
【０００４】
しかし、特許文献３に開示された携帯電話装置では、誤操作防止機能を有効にしていた場合には、誤操作防止機能を解除しない限りキー操作を行うことができないため、とっさの場合にキー操作を行うことができず、使い勝手が悪い、という不利益があった。
【０００５】
本発明は、上述した不利益を解消するために、使い勝手が良く誤操作を防止可能な携帯電子機器及びその制御方法を提供することを目的とする。
【課題を解決するための手段】
【０００６】
上述した目的を達成するために、第１の発明の携帯電子機器は、筐体と、前記筐体に配置される操作手段と、前記操作手段での操作動作を検出する操作動作検出手段と、前記操作動作検出手段によって検出された操作動作に応じて所定の機能の動作を制御する制御部と、を有する携帯電子機器において、前記操作手段は、前記筐体の主面部に配置される第１操作部と、前記筐体の側面部に配置される第２操作部と、を有し、制御部は、前記操作動作検出手段によって検出される前記第１操作部の所定時間以上の操作動作と前記第２操作部の操作動作とに応じて前記所定の機能の動作を制御する。
第２の発明の携帯電子機器の制御方法は、筐体に配置される操作手段での操作動作を検出し、検出された操作動作に応じて所定の機能の動作を制御する携帯電子機器の制御方法において、前記筐体の主面部に配置される第１操作部の所定時間以上の操作動作と前記筐体の側面部に配置される第２操作部の操作動作との検出に応じて前記所定の機能の動作を制御する。
【発明の効果】
【０００７】
本発明によれば、使い勝手が良く誤操作を防止可能な携帯電子機器及びその制御方法を提供することができる。
【発明を実施するための最良の形態】
【０００８】
以下、本実施形態の携帯電子機器である携帯端末１００について説明する。
本実施形態の携帯端末１００は、携帯電話機として想定されている。
図１は、携帯端末１００の構成を示すブロック図である。
図１に示すように、携帯端末１００は操作部２、操作動作検出部３、表示部４、制御部５が筐体１内に格納された構成となっている。
【０００９】
筐体１は、第１筐体１１と第２筐体１２とからなり、第１筐体１１及び第２筐体１２は、例えば図２に示すように、折り畳み可能に構成されている。
図２は、携帯端末１００の外観を示す図である。
図２（ａ）は、携帯端末１００の開いた状態を示し、図２（ｂ）は、携帯端末１００の閉じた状態を示している。
本実施形態では、携帯端末１００の形状を、図２に示すような、いわゆる折り畳み型として説明するが、本発明はこれには限定されず、例えば、ストレート型、スライド型、リボルバー型の携帯端末であっても良い。
【００１０】
操作部２は、文字入力キー、テンキー、十字キー、決定キー及びその他の機能キー等からなる入力デバイスであり、主操作部２１、第１操作部２２及び第２操作部２３からなる。
主操作部２１は、図２（ａ）に示すように、第２筐体１２の携帯端末１００が閉じた状態では外部に露出しない主面部１２ａに配置されており、図２（ｂ）に示すように、携帯端末１００が閉じた状態では操作不能となる。
第１操作部２２は、図２（ａ）に示すように、第１筐体１１の携帯端末１００が閉じた状態でも外部に露出する背面部１１ｂに配置されており、図２（ｂ）に示すように、携帯端末１００が閉じた状態でも操作可能である。
第２操作部２３は、図２（ａ）及び（ｂ）に示すように、第２筐体１２の側面部１２ｂに配置されており、図２（ｂ）に示すように、携帯端末１００が閉じた状態でも操作可能である。
【００１１】
操作動作検出部３は、操作部２に対するユーザの入力（操作動作）を検出する。
表示部４は、ＬＣＤ（Liquid Crystal Display）や有機ＥＬ（Electro Luminescence）ディスプレイ等の表示デバイスであり、携帯端末１００の各動作に対応した画面、例えば、アドレス帳画面、音声発信・着信画面、ｅメール発信・着信画面等、アプリケーション起動画面や各種情報を表示する。
また、表示部４は、第１表示部４１と第２表示部４２（表示部）とからなる。
第１表示部４１は、図２（ａ）に示すように、第１筐体１１の第１操作部２２とは反対側の主面部１１ａに配置されており、図２（ｂ）に示すように、携帯端末１００が閉じた状態では外部に露出されない。
第２表示部４２は、図２（ａ）に示すように、第１筐体１１の第１操作部２２と同じ側の背面部１１ｂに配置されており、図２（ｂ）に示すように、携帯端末１００が閉じた状態でも外部に露出される。
【００１２】
制御部５は、携帯端末１００の統括的な制御を行う。
すなわち、例えば、音声通話着信があった場合には、発信相手から発信先情報を受信し、アドレス帳データと照合して表示部４に発信先情報を表示させ、図示しない音声入出力部を制御して通話を開始させる等の処理や、音楽プレーヤ等のアプリケーションプログラムを起動し、図示しない記憶部に記憶された音楽データを再生する等の処理を行う。
【００１３】
また、制御部５は、第１操作部２２や第２操作部２３の操作動作が操作動作検出部３により検出された際に、携帯端末１００の状態と、検出された操作動作が長押しであったか短押しであったか、の２つの条件を基に場合分けを行い、当該場合分けを基に各場合に対応する機能の動作を制御する。
なお、長押しとは、所定時間以上当該キーが押下され続けることを意味し、短押しとは、所定時間未満しか当該キーが押下されなかったことを意味する。なお、本発明では所定時間を限定しない。例えば、予めユーザが設定した時間でもよいし、工場出荷時に設定されている時間でも良い。
【００１４】
以下、上述した場合分けについて図３を参照しながら説明する。
図３は、携帯端末１００の各状態における第１操作部２２及び第２操作部２３の長押し及び短押しの操作動作が検出された際に制御部５が実行する処理の一例を示す図である。
ただし、図３に示した場合分けは、第１筐体１１及び第２筐体１２が閉じた状態（図２（ｂ）に示す状態）を想定している。
【００１５】
図３に示すように、制御部５は、第２表示部４２が消灯されている状態（ある程度の時間内に操作部２の入力がなかったときに省電力のために第２表示部４２のバックライトを消している状態、または、表示部自体の電源をオフとした非表示状態）において、第１操作部２２の短押しを操作動作検出部３が検出した場合には、第２表示部４２を点灯状態にし、待ち受け画面を表示させる。ここで第２表示部４２に表示される待ち受け画面は本発明では限定しない。例えば、ユーザのお気に入りの待ち受け画像や電波状況、電池残量、時刻、着信情報等の各種情報等を表示させるように構成してもよく、どのような画面であっても良い。
図３に示すように、制御部５は、第２表示部４２が消灯されている状態において、第１操作部２２の長押しを操作動作検出部３が検出した場合には、当該操作を無効とする（何もしない）。
【００１６】
図３に示すように、制御部５は、第２表示部４２が消灯されている状態（ある程度の時間内に操作部２の入力がなかったときに省電力のために第２表示部４２のバックライトを消している状態、または、表示部自体の電源をオフとした非表示状態）において、第２操作部２３の短押しを操作動作検出部３が検出した場合には、第２表示部４２を点灯状態にし、待ち受け画面を表示させる。ここで第２表示部４２に表示される待ち受け画面は本発明では限定しない。
図３に示すように、制御部５は、第２表示部４２が消灯されている状態において、第２操作部２３の長押しを操作動作検出部３が検出した場合には、当該操作を無効とする。
【００１７】
図３に示すように、制御部５は、待ち受け状態、すなわち、第２表示部４２に待ち受け画面が表示されている状態において、第１操作部２２の短押しを操作動作検出部３が検出した場合には、第２表示部４２に状態ピクトを表示させる（すでに表示されている場合には、表示を消すようにしてもよい）。状態ピクトとは、携帯端末１００の状態、すなわち電池残量や電波状況を示すアイコンである。
図３に示すように、制御部５は、待ち受け状態において、第１操作部２２の長押しを操作動作検出部３が検出した場合には、ミュージックプレーヤ（所定の機能）を起動する。
【００１８】
図３に示すように、制御部５は、待ち受け状態において、第２操作部２３の短押しを操作動作検出部３が検出した場合には、第２表示部４２に状態ピクトを表示させる（すでに表示されている場合には、表示を消すようにしてもよい）。
図３に示すように、制御部５は、待ち受け状態において、第２操作部２３の長押しを操作動作検出部３が検出した場合には、マナーモード機能を起動してマナーモードをオン状態とする（すでにオン状態とされている場合には、マナーモードをオフ状態にしてマナーモード機能を終了する）マナーモードとは、携帯端末１００を例えば着信時に着信音を鳴らさずバイブレーション機能のみを起動させるようにするモードである。
【００１９】
図３に示すように、制御部５は、音声通話着信中の状態において、第１操作部２２の短押しを操作動作検出部３が検出した場合には、留守電機能・転送機能・マナー着信機能（前述したマナーモードになっていなくとも着信時に着信音を消しマナーモード中の着信と同様の状態にする機能）・保留機能等のいずれか一つの機能を起動する。ここで起動する機能は、予めユーザによって或いは工場出荷時に設定されている。
図３に示すように、制御部５は、着信中状態において、第１操作部２２の長押しを操作動作検出部３が検出した場合には、当該操作を無効とする。
【００２０】
図３に示すように、制御部５は、着信中状態において、第２操作部２３の短押しを操作動作検出部３が検出した場合には、マナー着信機能を起動する。
図３に示すように、制御部５は、着信中状態において、第２操作部２３の長押しを操作動作検出部３が検出した場合には、当該操作を無効とする。
【００２１】
図３に示すように、制御部５は、ｅメールの送受信中等、携帯端末１００の各種アプリケーションの実行中の状態において、第１操作部２２の短押しを操作動作検出部３が検出した場合には、起動中のアプリケーションが生じさせる音・バイブ等を停止するか、或いは第２表示部４２のバックライトの点灯時間を延長させ、起動中のアプリケーションが第２表示部４２に表示する画面をより長い時間見ることができるようにする。
図３に示すように、制御部５は、各種アプリ起動中状態において、第１操作部２２の長押しを操作動作検出部３が検出した場合には、当該操作を無効とする。
【００２２】
図３に示すように、制御部５は、各種アプリ起動中状態において、第２操作部２３の短押しを操作動作検出部３が検出した場合には、第２表示部４２のバックライトの点灯時間を延長させる。
図３に示すように、制御部５は、各種アプリ起動中状態において、第２操作部２３の長押しを操作動作検出部３が検出した場合には、当該操作を無効とする。
【００２３】
図３に示すように、制御部５は、ミュージックプレーヤ（すなわち、待ち受け中に第１操作部２２が長押しされて起動したアプリケーション）が起動中（音楽再生中）の状態において、第１操作部２２の短押しを操作動作検出部３が検出した場合には、第２表示部４２に状態ピクトを表示させる。なお、状態ピクトの表示に代えて、ミュージックプレーヤの各種情報（再生中の音楽情報や音量情報等）を第２表示部４２に表示させるようにしても良い。
図３に示すように、制御部５は、ミュージックプレーヤ起動中状態において、第１操作部２２の長押しを操作動作検出部３が検出した場合には、ミュージックプレーヤを終了させる。
【００２４】
図３に示すように、制御部５は、ミュージックプレーヤ起動中状態において、第２操作部２３の短押しを操作動作検出部３が検出した場合には、再生中の音楽の音量（第１選択パラメータ）を上げる、或いは下げる。第２操作部２３が複数のキーを有する場合には、音量を上げるキーと下げるキーとを別々のキーに割り当てても良い。
図３に示すように、制御部５は、ミュージックプレーヤ起動中状態において、第２操作部２３の長押しを操作動作検出部３が検出した場合には、現在再生中の曲の再生を止め、選曲（第２選択パラメータ）を行う。すなわち、次の曲或いは前の曲の再生を開始する。なお、第２操作部２３は、一対のキーを有して構成され、一方のキーに「音量ＵＰ／次曲選択」が割り当てられ、他方のキーに「音量ＤＯＷＮ／前曲選択」が割り当てられている。
図３を参照して行った上記説明において、ミュージックプレーヤが所定の機能に対応し、音声着信、ｅメール着信及び他のアプリケーションが第２の機能に対応している。
【００２５】
なお、上述した図３に関連付けて説明した場合分けと、それぞれの場合の携帯端末１００の動作は、全て一例であり、本発明はこれには限定されない。
本発明において重要であることは、第１操作部２２の長押しによってミュージックプレーヤが起動或いは終了し、ミュージックプレーヤ起動中には第２操作部２３の短押し及び長押しによってミュージックプレーヤを制御できる（すなわち、所定の機能の選択動作を制御できる）ことである。なお、第２操作部２３の長押しによってミュージックプレーヤを起動または終了させる構成としたが、ミュージックプレーヤの再生ＯＮ／ＯＦＦを行うように構成してもよい。
すなわち、第１操作部２２の長押しによって、予め設定されたある機能が起動或いは終了し、当該機能起動中には第２操作部２３によって当該機能の動作を制御することができる。
【００２６】
また、ここでは第１操作部２２の長押しによってミュージックプレーヤが起動或いは終了するとしたが、本発明では第１操作部２２の長押しによって起動する機能（アプリケーション）はミュージックプレーヤに限定されない。予め設定された携帯端末１００が実行可能な機能であれば、何でもよく、例えばＦＭラジオ機能や、カメラ機能等でも良く、ユーザによって任意に設定されるように構成されている。第１操作部２２の長押しによってＦＭラジオ機能が起動する場合には、例えば、ＦＭラジオ起動中に第２操作部２３の短押しによって音量を上げ或いは下げ、第２操作部２３の長押しによって次の局或いは前の局へ選局されるようにすればよい。また、第１操作部２２の長押しによってカメラ機能が起動する場合には、例えば、第２操作部２３の短押しによって撮影モード切り替え、第２操作部２３の長押しによってズームイン或いはズームアウトされるようにすればよい。
このように、携帯端末１００は、第１操作部２２の長押しによって所定の機能がオン／オフ制御され、第２操作部２３の操作（短押し又は長押し）によって当該所定の機能が選択制御（可変制御）される。
【００２７】
次に、本実施形態の携帯端末１００の閉じた状態での動作例について説明する。
図４は、携帯端末１００の動作例を示すフローチャートである。
ステップＳＴ１：
第１操作部２２或いは第２操作部２３が操作されたか否かを判定し、操作動作検出部３が第１操作部２２或いは第２操作部２３が操作されたことを検出した場合はステップＳＴ２に進み、検出しなかった場合はステップＳＴ１を繰り返す。
ステップＳＴ２：
ステップＳＴ１において、操作動作検出部３により検出された操作動作が、第１操作部２２の長押し出ない場合はステップＳＴ３に進み、第１操作部２２の長押しを検出した場合はステップＳＴ４に進む。
【００２８】
ステップＳＴ３：
制御部５は、図３に示したように、ステップＳＴ１において検出された操作に対応した機能を起動する。
ステップＳＴ４：
制御部５は、ミュージックプレーヤを起動する。
【００２９】
ステップＳＴ５：
操作動作検出部３は、ステップＳＴ４におけるミュージックプレーヤ起動後に第２操作部２３が操作されたか否かを判定し、第２操作部２３が短押しされた場合はステップＳＴ６に進み、第２操作部２３が長押しされた場合はステップＳＴ７に進み、第２操作部２３が操作されなかった場合にはステップＳＴ８に進む。
ステップＳＴ６：
制御部５は、ステップＳＴ４において起動されたミュージックプレーヤ機能の再生音量を上げる或いは下げる。
【００３０】
ステップＳＴ７：
制御部５は、ステップＳＴ４において起動されたミュージックプレーヤ機能が再生中の曲を止め、次の曲或いは前の曲の再生を開始する。
ステップＳＴ８：
操作動作検出部３は、ミュージックプレーヤの起動中に第１操作部２２が長押しされたか否かを判定し、第１操作部２２が長押しされた場合はステップＳＴ９に進み、されていない場合はステップＳＴ５に戻る。
ステップＳＴ９：
制御部５は、ミュージックプレーヤを終了する。
【００３１】
以下、本実施形態の携帯端末１００の効果について説明する。
第１操作部２２は、図２に示したように、第１筐体の背面部に配置されているため、携帯端末１００が閉じた状態（図２（ｂ）に示す状態）で鞄やポケット等にしまわれている際には誤操作（ユーザの意思とは無関係に押下されてしまう）されやすいが、本実施形態の携帯端末１００によれば、図３に示したように、第１操作部２２は、長押しによってのみミュージックプレーヤ等予め設定された機能を起動し、短押しの場合は状態変化（待ち受け画面表示・状態ピクト表示等）のみであり、機能を起動しないために、誤操作されることによりユーザの意図しない機能が起動してしまう、といった事態を防止することができる。
また、第２操作部２３も同様に、図３に示したように、第１操作部２２の長押しによって起動する機能の起動中以外には、短押しでは状態変化のみであるため、誤操作による誤動作を防止できる。また、第２操作部２３は、第１操作部２２の長押しによって起動する機能（ミュージックプレーヤ等）の起動中には、短押し及び長押しによって当該機能の動作制御（音量調節、選曲等）を実行することができる。図２に示すように、第２操作部２３は、携帯端末１００の側面部に配置されているため、携帯端末１００が鞄やポケット等にしまわれているときでも誤操作されにくく、なおかつ、誤操作防止のためにキーの押下を無効にしている訳ではないので、例えばミュージックプレーヤ機能を起動させた携帯端末１００をポケット等に入れた状態で音量を調節したくなった場合に、誤操作防止機能を停止してから第２操作部２３による音量の調節を行う、という段階を踏まずに、第２操作部２３を押下するだけで音量の調節が可能であるため、携帯端末１００の特定の機能実行中の操作における操作手順が減少し、携帯端末１００の使い勝手が良くなる。なお、ミュージックプレーヤ機能が起動されている状態で、第２操作部２３が誤操作されたとしても、当該機能の選択動作(音量や再生曲の選択)が行われるのみであり、当該機能の起動停止が実施されることはないので、ユーザに与える違和感を最小限に抑えることができる。
【００３２】
また、音声通話着信中や他のアプリケーション起動中には、第１操作部２２が長押しされても予め設定された機能は起動しないので、第１操作部２２の長押しによって携帯端末１００の基本的な機能（音声通話等）の動作が妨げられることはない。
【００３３】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３４】
上述した実施形態では、第１操作部２２でも第２操作部２３でも所定時間未満の操作動作を短押し、所定時間以上の操作動作を長押しと表現したが、本発明はこれには限定されない。すなわち、操作動作検出部３が第１操作部２２を長押しと認識する時間と、第２操作部２２を長押しと認識する時間とは、同じでなくてもよい。すなわち、例えば第２操作部より第１操作部の方が長押しと認識されるまでの押下時間が長くても短くても良い。また、上述した実施形態では、小と宇宙、待ち受け中、他アプリ起動中では、第１操作部２２及び第２操作部２３を長押ししても操作無効であるとしたが、本発明はこれに限定されることはなく、任意の動作が行われるように構成してもよい。例えば、消灯中に長押し操作を行った場合には、待ち受け中と同様の動作を行うように構成してもよい。
【００３５】
また、上述した実施形態では、折り畳み型の携帯端末１００について説明したが、本発明はこれには限定されない。携帯端末１００の形としては、ストレート型、スライド型、リボルバー型の携帯端末であっても良い。それぞれの型において、筐体の外部に露出した面の内、面積が大きい面（主面）に第１操作部が配置され、面積が小さい面（側面）に第２操作部が配置されれば良い。
さらに、本発明の携帯電子機器は、上述した実施形態で説明した携帯端末１００のような携帯電話機でなくても良い。小型の携帯可能な電子機器であれば本発明は適用可能である。
【００３６】
また、上述した実施形態中において説明した、第１操作部２２、第２操作部２３の位置は、上述した説明中の位置には限定されない。すなわち、第１操作部２２は、携帯端末１００の折り畳み状態で外部に露出する位置に配置されていれば良く、すなわち例えば、第２筐体１２の主操作部２１が配置された面１２ａの反対側の背面部１２ｃに配置されていても良い。同様に、第２操作部２３は、第１筐体１１或いは第２筐体１２どちらの側面部に配置されても良い。
【図面の簡単な説明】
【００３７】
【図１】図１は、携帯端末１００の構成を示すブロック図である。
【図２】図２は、携帯端末１００の外観を示す図である。
【図３】図３は、携帯端末１００の各状態における第１操作部２２及び第２操作部２３の長押し及び短押しが検出された際に制御部５が実行する処理の一例を示す図である。
【図４】図４は、携帯端末１００の動作例を示すフローチャートである。
【符号の説明】
【００３８】
１００…携帯端末、１…筐体、１１…第１筐体、１２…第２筐体、２…操作部、２１…主操作部、２２…第１操作部、２３…第２操作部、３…操作動作検出部、４…表示部、４１…第１表示部、４２…第２表示部、５…制御部
【図１】
2008054138.tif 000003
【図２】
2008054138.tif 000004
【図３】
2008054138.tif 000005
【図４】
2008054138.tif 000006